(57)【要約】【課題】  ＰＡＴ(Program Association Table)及びＰＭＴ(Program Map Table)よりもＥＣＭ(Entitlement Control Message)を先に受信した場合、ＰＭＴを受信するまで映像、音声を受信することが出来ないという課題があった。【解決手段】  ＰＡＴ、ＰＭＴ、映像識別情報、音声識別情報、時刻基準情報及びＥＣＭを記憶しておいて、これらの識別情報を用いて受信設定を行い、ストリームデータである映像データ及び音声データの受信を開始させるとともに、所定の周期で送信されるＰＡＴを受信して新たに抽出したＰＭＴ―ＰＩＤ（Packet ID）が記憶されたものと異なる場合に、新たに映像識別情報、音声識別情報、時刻基準情報及びＥＣＭを得る処理を行い、予め記憶された識別情報と異なるものについて再設定を行う。【選択図】  図２
2013135415.tif 000002
【特許請求の範囲】
【請求項１】
ストリームデータである映像データ及び音声データ、所定の周期で送信される、視聴可能な放送プログラムを示す情報であるＰＡＴ（Program Association Table）、所望の放送プログラムに対応する情報であって、前記ＰＡＴから抽出されたＰＭＴ（Program Map Table）―ＰＩＤ(Packet ID)に基づいて受信するＰＭＴ、このＰＭＴの中から前記所望の放送プログラムに対応する一連の識別情報であって、映像識別情報（Video-PID）、音声識別情報（Audio-PID）、時刻基準情報（PCR(Program Clock Reference)-PID）及び前記放送プログラムが暗号化されている場合に含まれる鍵情報であるＥＣＭ（Entitlement Control Message）を出力するデマルチプレクス部と、
前記一連の識別情報を記憶する記憶部と、
この記憶部に記憶された前記ＰＭＴ―ＰＩＤ、前記Ｖｉｄｅｏ―ＰＩＤ、前記Ａｕｄｉｏ―ＰＩＤ、前記ＰＣＲ―ＰＩＤ及び前記ＥＣＭ―ＰＩＤを読み出して前記デマルチプレクサ部に受信設定を行い、前記Ｖｉｄｅｏ―ＰＩＤ、前記Ａｕｄｉｏ―ＰＩＤに基づいて、ストリームデータである前記映像データ及び音声データの受信を開始させるとともに、
所定の周期で送信されるＰＡＴを受信して抽出した抽出ＰＭＴ―ＰＩＤが前記記憶部に記憶されたＰＭＴ―ＰＩＤと異なる場合に、前記抽出ＰＭＴ―ＰＩＤを用いて再度受信された再受信ＰＭＴを解析して新たに前記一連の新規識別情報を得る処理を行い、
前記一連の新規識別情報のうち、前記記憶部に記憶された識別情報と異なるものについて前記マルチプレクス部に再設定する制御部とを設けたことを特徴とするデジタル放送受信装置。
【請求項２】
記憶部に記憶される一連の識別情報は、受信可能な放送チャンネルをスキャンする処理において取得することを特徴とする請求項１に記載のデジタル放送受信装置。
【請求項３】
記憶部に記憶される一連の識別情報は、各放送チャンネルにそれぞれ複数個保持することができ、所定の時間帯で前記各放送チャンネルが前記識別情報を共有するイベント共有状態、前記各放送チャンネルが前記識別情報を共有しないイベント非共有状態に応じて選択的に識別情報を選択することを特徴とする請求項１又は２に記載のデジタル放送受信装置。
【請求項４】
記憶部に記憶される一連の識別情報は、データ放送用識別情報、字幕・文字スーパー用識別情報をさらに含み、
制御部は、前記記憶部に記憶された前記データ放送用識別情報、前記字幕・文字スーパー用識別情報を読み出して前記デマルチプレクサ部に受信設定を行うことを特徴とする請求項１から３のいずれか一項に記載のデジタル放送受信装置。
【発明の詳細な説明】
【技術分野】
【０００１】
本発明は、選局時間を短縮する選局方式を実行するデジタル放送受信機およびデジタル放送受信方法に関するものである。
【背景技術】
【０００２】
デジタル放送受信機において、製品の操作性向上のため選局時間を短縮させることが課題となっている。従来の選局高速化方式は、選局時にＶｉｄｅｏ ＰＩＤ（V-pid）、Ａｕｄｉｏ ＰＩＤ（A-pid）、ＰＣＲ ＰＩＤ（Pcr-PID）を予測して仮再生を行い、並行して放送波中のＰＡＴ(Program Association Table)、ＰＭＤ(Program Map Table)から上記ＰＩＤ（Packet ID）を取得し、予測が正しければそのまま再生を継続し、予測が正しくなければ、放送波から取得したＰＩＤを使用して映像・音声を再生するものである。
【０００３】
例えば、特許文献１には、記憶しているＰＩＤ情報をもとにＰＡＴ、ＰＭＴ、ＥＣＭ(Entitlement Control Message)を同時に設定するようにし、受信した情報との比較により記憶していたＰＩＤと異なっていた場合に受信した情報を記録して、ＰＩＤを再設定する選局方法が記載されている。
【０００４】
また、特許文献２には、Ｖｉｄｅｏ／Ａｕｄｉｏ／ＰＣＲのＰＩＤを予測設定後に、受信したＰＡＴ／ＰＭＴから予測設定値の正誤判定を行う選局方法が記載されている。
【０００５】
また、特許文献３には、チューナを利用してＰＡＴ、ＰＭＴを収集し、視聴に切り替わったとき、ＰＡＴ、ＰＭＴの情報をもとに、ＰＡＴ、ＰＭＴ、ＥＣＭ、ビデオＰＥＳ(Packetized Elementary Stream)、オーディオＰＥＳ、字幕ＰＥＳ取得の設定を同時に開始する選局方法が記載されている。
【先行技術文献】
【特許文献】
【０００６】
【特許文献１】特許第３５４９４４２号公報
【０００７】
【特許文献２】特許第３５４９４６１号公報
【０００８】
【特許文献３】特開２００９−２９６０８５号公報
【発明の概要】
【発明が解決しようとする課題】
【０００９】
ところで、特許文献１に記載の選局方法は、サービス毎にＰＡＴ内のＰＭＴ−ＰＩＤ、ＰＭＴ内のＥＣＭ−ＰＩＤを記憶し、選局する際に、記憶しているＰＩＤを参照して、デマルチプレクス部にＰＡＴとＰＭＴとＥＣＭを同時に受信設定することで、選局時間を短縮していた。しかし、映像・音声データの受信設定は、必ずＰＭＴ受信後となっていた。
【００１０】
また、特許文献２に記載の選局方法は、チャンネル番号を元にＡ／Ｖ識別情報予測過程において、Ａｕｄｉｏ  Ｓｔｒｅａｍ  ＰＩＤ、Ｖｉｄｅｏ  Ｓｔｒｅａｍ  ＰＩＤ、ＰＣＲ  ＰＩＤの予測処理が行われ、ＥＳ  ＰＩＤ（Elementary Stream PID）が求められ、Ａｕｄｉｏ／Ｖｉｄｅｏ信号を仮再生する過程で、求めたＰＩＤをデマルチプレクサに登録することで、選局時間を短縮していた。しかしながら、映像・音声データが暗号化されている場合は、デコード処理は開始できないことから、映像・音声データが暗号化されている場合は、選局時間の短縮という効果を得ることができなかった。
【００１１】
本発明の目的は、ＶＩＤＥＯ、ＡＵＤＩＯ、ＰＣＲ、ＥＣＭについてＰＡＴと同時に受信設定を行い、ＰＭＴより先にＥＣＭを受信した場合には、ＶＩＤＥＯ、ＡＵＤＩＯの暗号を復号してデコーダにデータを渡すことで、より早く選局ができるデジタル放送受信機を提供することである。
【課題を解決するための手段】
【００１２】
本発明に係るデジタル放送受信装置は、ストリームデータである映像データ及び音声データ、所定の周期で送信される、視聴可能な放送プログラムを示す情報であるＰＡＴ（Program Association Table）、所望の放送プログラムに対応する情報であって、ＰＡＴから抽出されたＰＭＴ（Program Map Table）―ＰＩＤ(Packet ID)に基づいて受信するＰＭＴ、このＰＭＴの中から前記所望の放送プログラムに対応する一連の識別情報であって、映像識別情報（Video-PID）、音声識別情報（Audio-PID）、時刻基準情報（PCR(Program Clock Reference)-PID）及び前記放送プログラムが暗号化されている場合に含まれる鍵情報であるＥＣＭ（Entitlement Control Message）を出力するデマルチプレクス部と、一連の識別情報を記憶する記憶部と、この記憶部に記憶されたＰＭＴ―ＰＩＤ、Ｖｉｄｅｏ―ＰＩＤ、Ａｕｄｉｏ―ＰＩＤ、ＰＣＲ―ＰＩＤ及びＥＣＭ―ＰＩＤを読み出してデマルチプレクサ部に受信設定を行い、Ｖｉｄｅｏ―ＰＩＤ、Ａｕｄｉｏ―ＰＩＤに基づいて、ストリームデータである映像データ及び音声データの受信を開始させるとともに、所定の周期で送信されるＰＡＴを受信して抽出した抽出ＰＭＴ―ＰＩＤが記憶部に記憶されたＰＭＴ―ＰＩＤと異なる場合に、抽出ＰＭＴ―ＰＩＤを用いて再度受信された再受信ＰＭＴを解析して新たに一連の新規識別情報を得る処理を行い、一連の新規識別情報のうち、記憶部に記憶された識別情報と異なるものについてマルチプレクス部に再設定する制御部とを設けたものである。
【発明の効果】
【００１３】
本発明に係るデジタル放送受信装置は、ストリームデータである映像データ及び音声データ、所定の周期で送信される、視聴可能な放送プログラムを示す情報であるＰＡＴ（Program Association Table）、所望の放送プログラムに対応する情報であって、ＰＡＴから抽出されたＰＭＴ（Program Map Table）―ＰＩＤ(Packet ID)に基づいて受信するＰＭＴ、このＰＭＴの中から前記所望の放送プログラムに対応する一連の識別情報であって、映像識別情報（Video-PID）、音声識別情報（Audio-PID）、時刻基準情報（PCR(Program Clock Reference)-PID）及び前記放送プログラムが暗号化されている場合に含まれる鍵情報であるＥＣＭ（Entitlement Control Message）を出力するデマルチプレクス部と、一連の識別情報を記憶する記憶部と、この記憶部に記憶されたＰＭＴ―ＰＩＤ、Ｖｉｄｅｏ―ＰＩＤ、Ａｕｄｉｏ―ＰＩＤ、ＰＣＲ―ＰＩＤ及びＥＣＭ―ＰＩＤを読み出してデマルチプレクサ部に受信設定を行い、Ｖｉｄｅｏ―ＰＩＤ、Ａｕｄｉｏ―ＰＩＤに基づいて、ストリームデータである映像データ及び音声データの受信を開始させるとともに、所定の周期で送信されるＰＡＴを受信して抽出した抽出ＰＭＴ―ＰＩＤが記憶部に記憶されたＰＭＴ―ＰＩＤと異なる場合に、抽出ＰＭＴ―ＰＩＤを用いて再度受信された再受信ＰＭＴを解析して新たに一連の新規識別情報を得る処理を行い、一連の新規識別情報のうち、記憶部に記憶された識別情報と異なるものについてマルチプレクス部に再設定する制御部とを設けたので、ＰＭＴとＥＣＭの両方を受信しないと受信及びデスクランブル処理ができなかったＶＩＤＥＯ・ＡＵＤＩＯについても、ＥＣＭだけ取得できればデスクランブル処理およびデコーダ処理を開始することができるようになることから、選局時間を短縮する効果がある。
【図面の簡単な説明】
【００１４】
【図１】本発明に係るデジタル放送受信装置の構成を示すブロック図である。
【図２】本発明に係るデジタル放送受信装置が実行する選局処理を説明するフローチャートである。
【図３】本発明に係るデジタル放送受信装置が受信する各種情報の受信状態を説明する説明図である。
【図４】予め記憶する各放送チャンネルの情報を受信可能な放送チャンネルをスキャンする処理において取得する処理の流れを示すフローチャートである。
【図５】イベント共有状態とイベント非共有状態で、使用する識別情報を選択することを示す説明図である。
【発明を実施するための形態】
【００１５】
実施の形態１．
以下、本発明の実施の形態１について、図面を用いて説明する。図１は、本発明に係るデジタル放送受信装置の構成を示すブロック図である。現在受信している放送ストリームの中で、放送チャンネルごとのＰＭＴの識別情報であるＰＩＤの関連性を示す情報をＰＡＴといい、放送チャンネルごとの映像や音声の識別情報であるＰＩＤの関連性を示す情報をＰＭＴ（Program MapTable）という。ＰＡＴの内部には、現在受信している放送ストリームの中の放送チャンネルをすべて収めており、１放送プログラムは、Ｐｒｏｇｒａｍ Ｎｕｍｂｅｒという番号で識別されており、その放送プログラムの詳細情報を収めているＰＭＴと１対１で対応している。
【００１６】
ＰＭＴの内部には、対応する放送プログラムに関連する映像の識別情報（Video Stream PID）、音声の識別情報（Audio Stream PID）、時刻基準情報の識別情報（PCR PID）などが収められている。
【００１７】
したがって、放送プログラムを視聴するには、まず、ＰＡＴを取得し、視聴したい放送プログラムに対応するＰＭＴを受信し、映像の識別情報（Video stream PID）、音声の識別情報（Audio Stream PID）、映像や音声を再生するために基準時間となる時間情報を収めているＰＣＲ（Program Clock Reference）の識別情報（PCR PID）を取得する。
【００１８】
図１は本発明の実施の形態１に係るデジタル放送受信装置の構成を示すブロック図である。図１において、１はＲＦまたはＩＰの入力である入力端子、２はＩＰまたはＲＦの信号を受信し所望の放送ストリームを抽出するフロントエンド部、３は放送ストリームに暗号が掛かっている場合に暗号を解くデスクランブル部、４は放送ストリームから所望のテーブルやストリームを選択して出力するデマルチプレクス（DEMUX）部、５は符号化された映像・音声データを復号するデコード部、６はデコードされた映像・音声信号を出力する出力端子、７は放送ストリームから抽出したＥＣＭをインプットとし、ＥＣＭの中に入っている鍵（Ｋｓ）を抽出するスクランブル鍵抽出部、８は、選局においてはＰＩＤの選局設定、受信した各テーブルの解析、ＰＩＤの管理等を行うＣＰＵ部、９はＣＰＵ部８のワークエリアとなるメモリ部、１０はリモコンからの指示を受付けるリモコン受信部である。
【００１９】
ＣＰＵ部８はデジタル放送受信装置全体の制御を行う。デジタル放送受信装置は、ＲＦまたはＩＰの入力である入力端子１を介して放送ストリームを受信する。受信された放送ストリームは、フロントエンド部２でＩＰまたはＲＦの信号処理が行われて、所望の放送ストリームが抽出される。抽出されたストリームがデスクランブル部３に送出され、暗号鍵を用いてデスクランブルされる。その後、デマルチプレクス部４による所望のテーブルやストリームを選択する処理、デコード部５による映像・音声データを復号する処理がなされて、映像・音声のそれぞれの出力端子６から出力される。選局処理の際は、ＣＰＵ部８がデマルチプレクサ部４からストリーム中の各テーブルを抽出し、暗号化ストリームについてはスクランブル鍵抽出部７によりスクランブル鍵を抽出してデスクランブル部３に与えることにより放送ストリームの暗号を復号する。メモリ部９はＣＰＵ部８の作業エリアである。
【００２０】
図２は、本発明に係るデジタル放送受信装置が実行する選局処理を説明するフローチャートである。図２において、リモコンを用いてチャンネルの選局操作を行うと、リモコン受信部１０から選局指示がＣＰＵ部８に入り、選局チャンネルの決定を行う（ステップＳ３０１）。次に、ステップＳ３０２のチューニング過程において、選局チャンネルをもとに放送ストリーム受信のためのチューニングを行う。ここでＩＰ放送受信機の場合であれば、ネットワークに対してマルチキャストへの参加を要求し、ＲＦ放送受信機の場合であれば、チューナに選局チャンネルの周波数に同調するよう設定を行う。
【００２１】
次にステップＳ３０３のＰＡＴ受信設定過程により、デマルチプレクス部４に対してＰＩＤのフィルター設定を実施するとともに、選局チャンネルのネットワークＩＤ、サービスＩＤをキーとして、受信機内に記憶しているＰＭＴ−ＰＩＤ、ＶＩＤＥＯ−ＰＩＤ、ＡＵＤＩＯ−ＰＩＤ、ＰＣＲ−ＰＩＤ、ＥＣＭ−ＰＩＤを読出し（ステップＳ３１１、ステップＳ３２１、ステップＳ３３１、ステップＳ３４１、ステップＳ３５１）、ＰＡＴと同様、デマルチプレクス部４に対し受信設定を行う（ステップＳ３１２、ステップＳ３２２、ステップＳ３３２、ステップＳ３４２、ステップＳ３５２）。
【００２２】
次にステップＳ３０４のＰＡＴ受信過程において、受信したＰＡＴを解析し、受信したＰＡＴに記載された放送チャンネルのＰＭＴ−ＰＩＤを抽出し、この抽出ＰＭＴ―ＰＩＤと受信機内に記憶している同チャンネルのＰＭＴ−ＰＩＤと比較を行い、ステップＳ３０５によりＰＩＤが異なっていれば（ステップＳ３０５にてＹＥＳ）、ステップＳ３０８によりＰＡＴから抽出した抽出ＰＭＴ−ＰＩＤを受信機内に記憶するとともに、ステップＳ３１２にて、ＰＡＴから求めたＰＭＴ−ＰＩＤを再度デマルチプレクス部４に対して設定を行い、再度受信された再受信ＰＭＴを解析する。またステップＳ３０５にてＰＩＤが同一であった場合は（ステップＳ３０５にてＮＯ）、受信機で記憶していたＰＭＴ−ＰＩＤは正しいため、そのまま処理を継続する。
【００２３】
次にステップＳ３１３のＰＭＴ受信過程において、受信したＰＭＴを解析し、その中に記載された一連の新規識別情報、つまり、ＶＩＤＥＯ−ＰＩＤ、ＡＵＤＩＯ−ＰＩＤ、ＰＣＲ−ＰＩＤ、ＥＣＭ−ＰＩＤを求め、受信機内に記憶している同チャンネルのＶＩＤＥＯ−ＰＩＤ、ＡＵＤＩＯ−ＰＩＤ、ＰＣＲ−ＰＩＤ、ＥＣＭ−ＰＩＤと比較を行ない、ステップＳ３１４によりいずれかのＰＩＤが異なっていれば（ステップＳ３１４にてＹＥＳ）、ステップＳ３１６により異なっていたＰＩＤについては、ＰＭＴから求めたＰＩＤを受信機内に記憶するとともに、ステップＳ３２２、ステップＳ３３２、ステップＳ３４２、ステップＳ３５２にて、ＰＭＴから求めたＰＩＤを再度デマルチプレクス部４に対して設定を行う。またステップＳ３１４にてＰＩＤが同一であった場合は（ステップＳ３１４にてＮＯ）、受信機で記憶していたＶＩＤＥＯ−ＰＩＤ、ＡＵＤＩＯ−ＰＩＤ、ＰＣＲ−ＰＩＤ、ＥＣＭ−ＰＩＤは正しいため、そのまま処理を継続する。
【００２４】
次にステップＳ３２３のＥＣＭ受信過程において、受信したＥＣＭを、スクランブル鍵抽出部７に渡して暗号鍵（Ｋｓ）を抽出し（ステップＳ３２４）、デスクランブル部３に鍵（Ｋｓ）を設定する（ステップＳ３２５）。次にステップＳ３５３のＰＣＲ受信過程において、取得したＰＣＲは、ステップＳ３５４のＳＴＣカウンタ更新課程により、受信機内部のカウンタをＰＣＲに同期させる。次にステップＳ３３３のＶＩＤＥＯ受信過程において、受信したＶＩＤＥＯデータは、デコーダ部５によりＶＩＤＥＯデータの復号を行い（ステップＳ３３４）、またステップＳ３４３のＡＵＤＩＯ受信過程において、受信したＡＵＤＩＯデータは、デコーダ部５によりＡＵＤＩＯデータの復号を行い（ステップＳ３４４）、ＶＩＤＥＯデータ、ＡＵＤＩＯデータはステップＳ３６０のＡＶ同期課程において出力タイミングを決定して、それぞれＶＩＤＥＯ出力、ＡＵＤＩＯ出力に出力する。この過程において、選局処理としては、ステップＳ３６１の映像・音声受信検出待ち過程において、映像・音声のヘッダー情報が取得できた段階で受信を検出し、選局処理は終了となる。
【００２５】
図３は、本発明に係るデジタル放送受信装置が受信する各種情報（ＰＡＴとともに、ＰＭＴ・ＥＣＭ・ＶＩＤＥＯ・ＡＵＤＩＯ・ＰＣＲ・データ放送・字幕・文字スーパー）の受信状態を説明する説明図である。図３において、まずリモコンを用いてチャンネル選局操作を行うと、リモコン受信部１０から選局指示がＣＰＵ部８に入り、選局チャンネルを決定し、選局を開始する（１  選局開始）。このタイミングで、ＰＡＴとともに、ＰＭＴ・ＥＣＭ・ＶＩＤＥＯ・ＡＵＤＩＯ・ＰＣＲ・データ放送・字幕・文字スーパーの受信設定を行う（２  受信設定状態）。ＶＩＤＥＯ・ＡＵＤＩＯ・字幕・文字スーパーはストリームデータであるため、受信バッファの遅延後すぐにストリームの受信を開始する。ＰＡＴ・ＰＭＴ・ＥＣＭ・ＰＣＲ・データ放送については、定周期で送信されている。図３ではＰＡＴ・ＰＭＴ・ＰＣＲ・データ放送については最大送出周期の１００ミリ秒掛かって到着し、ＥＣＭについてのみ受信設定直後にＥＣＭデータが到着する想定とした。この場合、１の選局開始から１００ミリ秒後にＰＡＴ・ＰＭＴ・ＰＣＲ・データ放送のデータ受信を開始するため、受信機に記憶していた各ＰＩＤの正当性を確認できるのは、選局開始から１００ミリ秒後になるが、選局開始直後にＥＣＭを受信した場合は、ＰＩＤの正当性確認が完了する前にＶＩＤＥＯ・ＡＵＤＩＯデータの暗号を復号し、デコード処理を開始することができ、その結果、映像・音声が再生されるまでの時間を短縮することができる。
【００２６】
従来の方式では、ＰＭＴ・ＥＣＭがそろった後でＶＩＤＥＯ・ＡＵＤＩＯデータの受信設定を行っていたことから、ＰＭＴ・ＥＣＭの受信後でなければ、ＶＩＤＥＯ・ＡＵＤＩＯデータをデコーダ部５に渡すことができなかったが、本発明により、ＥＣＭを受信した段階で、ＶＩＤＥＯ・ＡＵＤＩＯデータをデコーダ部５に渡すことができる。
【００２７】
また、上記説明のように、本発明に係るデジタル放送受信装置は、ＰＡＴと同時にＶｉｄｅｏ／Ａｕｄｉｏ／ＰＣＲについても同時に受信設定を行うようにし、ＰＭＴ受信前にＥＣＭを受信した場合には、暗号化されたＶｉｄｅｏ／Ａｕｄｉｏストリームの復号、及びデコード処理を先行して実施することにより、高速な選局処理を行うことが出来るようにしている。
【００２８】
また、上記説明のように、ＰＭＴ／ＰＩＤ、ＥＣＭ−ＰＩＤについてもＰＡＴと同タイミングで設定を行い、ＥＣＭ取得とともにＶｉｄｅｏ／Ａｕｄｉｏの暗号を複合する手段を持つことで、暗号化ストリームに対して高速に選局処理を行うことが出来る。
【００２９】
以上のように、この発明によれば、選局開始の際にＰＡＴ−ＰＩＤと共に、記憶したＰＭＴ−ＰＩＤ、ＶＩＤＥＯ−ＰＩＤ、ＡＵＤＩＯ−ＰＩＤ、ＰＣＲ−ＰＩＤ、ＥＣＭ−ＰＩＤを設定することによって、ＰＭＴとＥＣＭの両方を受信しないと受信及びデスクランブル処理ができなかったＶＩＤＥＯ・ＡＵＤＩＯについても、ＥＣＭだけ取得できればデスクランブル処理およびデコーダ処理を開始することができるようになることから、選局時間を更に短縮する効果がある。
【００３０】
例えば、ＡＲＩＢ仕様では、最大１００ミリ秒後には、ＰＡＴ／ＰＭＴ／ＥＣＭのテーブルを受信することが出来るので、最初にフィルター設定したＰＩＤが正しいか否かの判断は選局開始から１００ミリ秒後のタイミングで行うことが出来る。仮に、最初にフィルター設定したＰＩＤが誤りであった場合、間違っている箇所のみテーブルの再取得を行うので、短時間で選局処理を行うことが出来る。
【００３１】
またデータ放送用のＰＩＤ、字幕・文字スーパー用のＰＩＤについても放送チャンネルごとのＰＩＤを記憶し、デマックス手段にＰＡＴ−ＰＩＤと共に、受信機の保持している各チャンネルのデータ放送用のＰＩＤ、字幕・文字スーパー用のＰＩＤを同時に設定することで、選局からデータ放送や字幕・文字スーパーの表示までに掛かる時間を短縮する効果がある。
【００３２】
実施の形態２．
デジタル放送受信機内に予め記憶しておく各放送チャンネルの情報（ＰＭＴ−ＰＩＤ、ＶＩＤＥＯ−ＰＩＤ、ＡＵＤＩＯ−ＰＩＤ、ＰＣＲ−ＰＩＤ、ＥＣＭ−ＰＩＤ、データ放送用ＰＩＤ、字幕・文字スーパー用ＰＩＤ）を、例えば、実際の選局前に地上波デジタル放送のチャンネルスキャンを行って取得しておく方法が考えられる。図４は、予め記憶しておく各放送チャンネルの情報を受信可能な放送チャンネルをスキャンする処理において取得する処理の流れを示すフローチャートである。
【００３３】
以下説明するチャンネルスキャンは、地上波デジタル放送のＩＰ再送信に適用される方式に基づいている。地上波デジタル放送のＩＰ再送信はＩＰＴＶフォーラムの、地上デジタルテレビジョン放送ＩＰ再送信運用規定（IPTVFJ STD-0005）に運用が記載されているものである。チャンネルスキャンを開始すると、ステップＳ４０１において、サーバーから地上波デジタルＩＰ再送信において、地域ごとに配信される放送の選局制御情報であるＴＣＸデータを取得する。このＴＣＸデータの中に、各地域で視聴可能なチャンネルのＴＳ（トランスポートストリーム）と、マルチキャスト受信に必要なアドレス・ポート情報が含まれる。ステップＳ４０２において、ＴＣＸ中に記載されたＴＳの一覧情報を取得し、ステップＳ４０３により、ひとつ目のＴＳ情報から、ステップＳ４０４により、各ＴＳストリームの選局を行い、ステップＳ４０５により、ＮＩＴ（Network Information Table）・ＰＡＴ・ＰＭＴのテーブルを取得する。
【００３４】
ステップＳ４０６ではチャンネルスキャンの本来の処理として、視聴可能なサービスの情報をＮＩＴから取得して記憶する。またステップＳ４０７では、本発明で必要となる、ＰＭＴ−ＰＩＤ、ＶＩＤＥＯ−ＰＩＤ、ＡＵＤＩＯ−ＰＩＤ、ＰＣＲ−ＰＩＤ、ＥＣＭ−ＰＩＤ、データ放送用ＰＩＤ、字幕・文字スーパー用ＰＩＤの情報をＰＡＴ、ＰＭＴから取得し、ネットワークＩＤおよびサービスＩＤで一意に決まる放送チャンネルごとの情報として記憶する。地上波デジタル放送においてはＮＩＴのデフォルトの送出周期は１秒である。一方、ＰＡＴ・ＰＭＴの送出周期は１００ミリ秒であることから、チャンネルスキャンの処理時間に影響なく、ＰＡＴ・ＰＭＴテーブルを取得して、放送チャンネルごとの各ＰＩＤ情報を取得することができる。
【００３５】
上記説明のように、記憶する各放送チャンネルごとのＰＭＴ−ＰＩＤ、ＶＩＤＥＯ−ＰＩＤ、ＡＵＤＩＯ−ＰＩＤ、ＰＣＲ−ＰＩＤ、ＥＣＭ−ＰＩＤを、ユーザーの選局操作とは異なる別の操作により、存在する放送チャンネルを事前にスキャンして情報を取得することによって、地上波デジタル放送のように、チャンネルスキャンにより受信可能な放送チャンネルをサーチする場合、チャンネルスキャン後の最初の選局から、早い選局時間を得られるという効果がある。
【００３６】
実施の形態３．
次に、本発明の実施の形態３について、図面を用いて説明する。図５は、イベント共有状態とイベント非共有状態で使用する識別情報を選択することを示す説明図である。以下、選局時に指定する各ＰＩＤをＥＩＴ（Event Information Table）から取得する番組情報により選択する方式を説明する。図５の例では、１０１、１０２、１０３の３つのサービスにより放送がなされる放送局があった場合、１０時から１１時、及び１２時から１３時は、サービスＩＤごとに異なるＶＩＤＥＯ−ＰＩＤ、ＡＵＤＩＯ−ＰＩＤ、ＰＣＲ−ＰＩＤを参照するが、１１時から１２時は、３つのサービスＩＤで同一のＶＩＤＥＯ−ＰＩＤ、ＡＵＤＩＯ−ＰＩＤ、ＰＣＲ−ＰＩＤを参照する場合があり、これはイベント共有と呼ばれている。イベント共有の状態では、異なるサービスＩＤで一つの同一番組を参照する構成で放送される。したがって、サービスＩＤの情報を元に受信機に記憶しているＰＩＤを用いると、実際の放送ストリームと異なることがある。よってこのような放送運用時も、選局時間を短くできるように、ＥＩＴの番組情報から得られるイベント共有の状態により、イベント共有か否かで異なるＰＩＤを使用するようにする。
【００３７】
放送チャンネルのＥＩＴ情報から取得する番組情報により、使用するＰＩＤを選択することにより、マルチ編成チャンネル放送時においても、早い選局時間を得れる効果がある。
【符号の説明】
【００３８】
１  入力端子、２  フロントエンド部、３  デスクランブル部、４  ＤＥＭＵＸ部、
５  デコード部、６  出力端子、７  スクランブル鍵抽出部、８  ＣＰＵ部、
９  メモリ部、１０  リモコン受信部
【図１】
2013135415.tif 000003
【図２】
2013135415.tif 000004
【図３】
2013135415.tif 000005
【図４】
2013135415.tif 000006
【図５】
2013135415.tif 000007